(57)【要約】本発明は、第１の生成物を第２の生成物に混合することで得られる懸濁液又は溶液の即時調整用のブッシング（１９０）であって、第１の生成物を最初に収容している第１のボトルを、第２の生成物を最初に収容している第２のボトルと連通するように配置することを可能にし、第２のボトルには、ドロッパーネックが設けられており、第１のボトルと第２のボトルとの連通は、順番に、第１の段階で、第２の生成物を第１のボトルに導入し、第２の段階で、第２のボトル内に生成された溶液又は懸濁液をドリッパーネックを介して吸引することで行われ、ブッシング（１９０）は、内部に、ドロッパーネックを受ける受容部（１６）を備えており、内部受容部はドロッパーネックの形状と一致する形状を有することを特徴とするブッシングに関する。本発明は、また、本発明のブッシングを有する、第１の生成物を収容したボトルを備えるパッケージと、また、本発明のパッケージと第２の生成物を収容したボトルを備えるキットに関する。
2009517293.tif 000002
【特許請求の範囲】
【請求項１】
第１の生成物を第２の生成物に混合することで得られる懸濁液又は溶液の即時調整用のブッシング（１９０）であって、
第１の生成物を最初に収容している第１のボトル（Ａ）を、第２の生成物を最初に収容している第２のボトル（Ｂ）と連通するように配置することを可能にし、
第２のボトル（Ｂ）には、ドロッパーネックが設けられており、
前記第２の生成物を前記第１のボトル（Ａ）に加えるという第１の目的と、前記第２のボトル内に生成された溶液又は懸濁液を吸引するという第２の目的のために、第１のボトル（Ａ）が、ドロッパーネック（６）を介して第２のボトル（Ｂ）と連通するように配置され、
前記ブッシング（１９０）は、前記ドロッパーネック（６）を受ける内部受容部（１６）を備え、
前記内部受容部（１６）は、前記ドロッパーネック（６）の形状と一致する形状を有することを特徴とする即時調整用ブッシング。
【請求項２】
請求項１記載のブッシングにおいて、
前記ブッシング（１９０）は、前記第２のボトル（Ｂ）の前記ドロッパーネック（６）の一部と結合する上部（２）と前記第１のボトル（Ａ）のネックの上を覆うことができる下部（３）とを有する本体（１９１）を備えるブッシング。
【請求項３】
請求項２記載のブッシングにおいて、
前記内部受容部（１６）の一部は、前記上部（２）から前記下部（３）に行くに従って小さくなり、前記ドロッパーネック（６）と相補的に合致するブッシング。
【請求項４】
請求項１〜３のいずれか１つに記載のブッシングにおいて、
形状が前記内部受容部（１６）の１つと一致するストッパー（１１０）をさらに備え、
前記ストッパーの形状は前記ドロッパーネック（６）の形状とほぼ同じであるブッシング。
【請求項５】
請求項４記載のブッシングにおいて、
請求項２又は３に従属し、
前記ストッパー（１１０）は、前記本体（１９１）から取り外すことができるブッシング。
【請求項６】
請求項２〜５のいずれか１つに記載のブッシングにおいて、
前記ブッシングの上部（２）は、前記ドロッパーネック（６）の基部のスレッド（８）又はストッパー（１１０）の基部のスレッド（１８）とねじ結合されることができるように内部スレッド（４）を有するブッシング。
【請求項７】
請求項２〜６のいずれか１つに記載のブッシングにおいて、
前記ブッシング（１９０）の下部（３）は、円形カラー（１２）に嵌合し、前記第１のボトル（Ａ）のネックに圧着する内部ショルダー（５）を有するブッシング。
【請求項８】
請求項２〜７のいずれか１つに記載のブッシングにおいて、
さらに、前記本体（１９１）の外側部分（１７）に結合することができるキャップを備えるブッシング。
【請求項９】
請求項８記載のブッシングにおいて、
請求項４に従属する場合には、前記キャップ（１４）は、前記ストッパー（１１０）の内側部分（２１）にも結合することができるブッシング。
【請求項１０】
請求項８又は９記載のブッシングにおいて、
前記キャップ（１４）は、前記本体（１９１）及び／又はストッパー（１１０）から取り外すことができるブッシング。
【請求項１１】
請求項１〜１０のいずれか１つに記載のブッシングにおいて、
成型プラスチック材料で形成されているブッシング。
【請求項１２】
第１の生成物を第２の生成物に混合することで得られる懸濁液又は溶液の即時調整用のパッケージであって、
第１の生成物を最初に収容している第１のボトル（Ａ）を備え、
第２の生成物は、ドロッパーネック（６）を有する第２のボトル（Ｂ）に最初に収容されており、
前記パッケージは、前記第２の生成物を前記第１のボトル（Ａ）に加えるという第１の目的と、前記第２のボトル内に生成された溶液又は懸濁液を吸引するという第２の目的のために、前記第１のボトル（Ａ）を前記第２のボトル（Ｂ）と連通するように配置することを可能にするブッシングを備え、
前記ブッシング（１９０）は、前記ドロッパーネック（６）を受ける内部受容部（１６）を備え、
前記内部受容部（１６）は、前記ドロッパーネック（６）の形状と一致する形状を有することを特徴とするパッケージ。
【請求項１３】
第１の生成物を第２の生成物に混合することで得られる懸濁液又は溶液の即時調整用のキットであって、
第１の生成物を最初に収容している第１のボトル（Ａ）と、
ドロッパーネック（６）を有する、第２の生成物を最初に収容している第２のボトル（Ｂ）と、
前記第２の生成物を前記第１のボトル（Ａ）に加えるという第１の目的と、前記第２のボトル内に生成された溶液又は懸濁液を吸引するという第２の目的のために、前記第１のボトル（Ａ）を前記第２のボトル（Ｂ）と連通するように配置することを可能にするブッシングとを備え、
前記ブッシング（１９０）は、前記ドロッパーネック（６）を受ける内部受容部（１６）を備え、
前記内部受容部（１６）は、前記ドロッパーネック（６）の形状と一致する形状を有することを特徴とするキット。
【請求項１４】
請求項１３記載のキットにおいて、
前記第１の生成物は、固体の活性生成物であり、
第２の生成物は流体の生成物であるキット。
【発明の詳細な説明】
【技術分野】
【０００１】
本発明は、第１の生成物を第２の生成物に混合することで得られる懸濁液又は溶液の即時調整用のブッシングであって、第１の生成物を最初に収容している第１のボトルを、第２の生成物を最初に収容している第２のボトルと連通するように配置することを可能にするブッシングに関わる。
【０００２】
本発明は、また、前記ブッシングを備えるパッケージ、及び前記ブッシングを備えるキットに関する。
【背景技術】
【０００３】
本発明は、活性生成物である懸濁液又は溶液の即時調整用のパッケージアセンブリの改良に関する。
【０００４】
図１及び図２は、従来の組立て部を示す。
【０００５】
前記組立て部は、２つの主要部からなる。
【０００６】
まず、組立て部は、２つの密封したボトルＡ，Ｂを備える。これらのボトルのうち、第１のボトルＡは、一般的に、粉末乾燥状の第１の活性生成物を収容するものである。第２のボトルには、第２の生成物を収容する。第２の生成物は、一般的に、第１の活性生成物が添加される液体であり、投与時には溶液又は懸濁液となっている。
【０００７】
第２に、組立て部は、第１のボトルへ液体を加えるという第１の目的と、第２のボトル内に生成された溶液又は懸濁液を吸引するという第２の目的のため、２つのボトルＡ，Ｂを連通するように配置するためのリンク手段を備える。
【０００８】
この目的のために、軟金属からなる第２のボトルＢを逆さにし、第１のボトルＡのブッシングにねじ込み結合する。このブッシングは、内部スレッド４を有する上部２と、内部ショルダー５を有する下部３とを備える。
【０００９】
第２のボトルＢの先端は、外部スレッドを有するショルダー８によって本体７と連結されるドリッパー６内に位置する。
【００１０】
また、ボトルＡは、一般的に、ガラスでできており、エラストマー材料からなるストッパー９によって蓋閉されている。ストッパー９には、孔部１０が貫通しており、穿孔可能な保護膜１１で封止されている。保護膜は、例えば、アルミニウムでできている。
【００１１】
スレッド４とスレッド８とを合わせて、ボトルＢをボトルＡにねじ込み結合する際、ドロッパー６は保護膜１１を穿孔し、孔部１０に入り込む。これにより、２つのボトルを連通するように配置することができる。
【００１２】
２つのボトルは、この一体部分１を介して接続されている。この一体部分１は、ショルダー５をボトルＡのネックに圧着させることで、ボトルＡに固定される。
【００１３】
ここにあげた互いに関連する構成部材のセンタリングと準備とを容易にするために、ボトルＡのネックの周りであって、「ビード」と称する圧着カラーの下側に位置する部分に垂直突起部１３を設ける。５の圧着は、初期の圧着が一時的にビード１２上でなされ、その後、図１に示すように、ブッシングをネックの上まで押し下げてビード１２の下側で最終的に圧着する。このような準備は、ブッシング１をストッパー９及びボトルＡ上に設置しやすくするために行われ、組立てにかかるコストを削減する。ボトルＡのネックは、一般的に、２つの圧着カラーを有する。
【発明の開示】
【発明が解決しようとする課題】
【００１４】
前記組立て部には、いくつか不具合がある。
【００１５】
１つ目の不具合は、ボトルのネックは、ブッシング１をボトルＡに固定する際に妨げとなる２つのカラー１２を有するということである。また、２つのカラーと突起部は、ボトルの製造に使用する材料の量という点では、最適ではない。
【００１６】
２つ目に、エラストマー材料からなるストッパー９と、穴を開ける封口膜１１は、別々の部品からなり、ブッシングとも別の部品であり、最適とは言えない。ストッパー、膜、ブッシングを固定するには、難しいセンタリングを行う必要がある。
【００１７】
これらの全ての理由より、これらの部品はコストも高く、組立てにかかる時間も比較的長くなってしまう。
【００１８】
本発明は、ブッシングの新しい種類の実施形態を対象とし、特に、前記部材の簡略化を図ることで、上記の不具合を全て克服することができる実施形態をその対象とする。
【課題を解決するための手段】
【００１９】
この目的のため、本発明は、第１の生成物を第２の生成物に混合することで得られる懸濁液又は溶液の即時調整用のブッシングであって、第１の生成物を最初に収容している第１のボトルを、第２の生成物を最初に収容している第２のボトルと連通するように配置することを可能にし、第２のボトルには、ドロッパーネック（a dropper neck）が設けられており、前記第２の生成物を前記第１のボトルに加えるという第１の目的と、前記第２のボトル内に生成された溶液又は懸濁液を吸引するという第２の目的のために、第１のボトルが、ドロッパーネックを介して第２のボトルと連通するように配置され、前記ブッシングは、前記ドロッパーネックを受ける内部受容部を備え、前記内部受容部は前記ドロッパーネックの形状と一致する形状を有することを特徴とする即時調整用ブッシングを提案する。
【００２０】
本発明は、以下の特徴を個々に、または、技術的に可能な範囲で組み合わせて使用することで、効果的に完成させることができる。
【００２１】
本発明のブッシングは、前記第２のボトルの前記ドロッパーネックの一部と結合する上部と前記第１のボトルのネックの上を覆うことができる下部とを有する本体を備える。
【００２２】
本発明のブッシングにおいて、前記内部受容部の一部は、前記上部から前記下部に行くに従って小さくなり、前記ドロッパーネックと一致して結合する。
【００２３】
本発明のブッシングは、形状が前記内部受容部の１つと一致するストッパーをさらに備え、前記ストッパーの形状は前記ドロッパーネックの形状とほぼ同じである。
【００２４】
本発明のブッシングにおいて、前記ストッパーは、前記本体から取り外すことができる。
【００２５】
本発明のブッシングにおいて、前記ブッシングの上部は、前記ドロッパーネックの基部のスレッド又はストッパーの基部のスレッドとねじ結合されることができるように内部スレッドを有する。
【００２６】
本発明のブッシングにおいて、前記ブッシングの下部は、円形カラーに嵌合し（latch）、前記第１のボトルのネックに圧着する内部ショルダーを有する。
【００２７】
本発明のブッシングにおいて、前記本体の外側部分に結合することができるキャップを備える。
【００２８】
本発明のブッシングにおいて、前記キャップは、前記ストッパーの内側部分とも結合することができる。
【００２９】
本発明のブッシングにおいて、前記キャップは、前記本体及び／又はストッパーから取り外すことができる。
【００３０】
本発明のブッシングは、成型プラスチック材料で形成されている。
【００３１】
本発明は、また、前記ブッシングを備えるパッケージ、及び前記ブッシングを備えるキットに関する。
【発明の効果】
【００３２】
本発明には多くの効果がある。
【００３３】
ブッシングをガラスボトル上に容易に固定することができる。ボトルを製造する際に使用するガラスの量を減らすことができ、これにより製造コストを減らすことができる。
【００３４】
組立てに必要な部品の数を減らすことができる。特に、エラストマーからなるストッパーや膜は必要ない。よって、組立てにかかるコストと時間を削減することができる。
【発明を実施するための最良の形態】
【００３５】
本発明の他の様相、目的、効果は、以下の好ましい実施の形態の記載で、より明らかにされている。発明を限定することのない例を示すとともに、既に説明した図１（ａ）、図１（ｂ）及び図２以外にも、添付した図面を参照して、以下の好ましい実施の形態を説明する。
【００３６】
図４（ａ）、図４（ｂ）、図５、図７、及び図９は、第１の生成物を第２の生成物に混合することで得られる懸濁液又は溶液の即時調整用のブッシング１９０を概略的に示す。
【００３７】
ブッシング１９０は、図３の第１のボトルを、図１及び図２に示すボトルＢと同一の図５の第２のボトルＢと連通するように配置することを可能にする。
【００３８】
第１のボトルＡは、第１の生成物を最初に収容している。第１の生成物は、固体の活性生成物で、乾燥したフリーズドライ粉末状であることが好ましい。
【００３９】
第２のボトルＢは、第２の生成物を最初に収容している。第２の生成物は、液体の生成物であることが好ましい。
【００４０】
第２のボトルＢには、ドロッパーネック６が設けられている。
【００４１】
第１のボトルＡを、ブッシング１９０を介して第２のボトルＢと連通するように配置する。従来の通り、第２の生成物を第１のボトルＡに加えるという第１の目的と、第２のボトル内に生成された溶液又は懸濁液を吸引するという第２の目的のために、第１のボトルＡを、ドロッパーネック６を介して第２のボトルＢと連通させて配置する。
【００４２】
生成物の添加、溶液又は懸濁液の吸引は、ドロッパーネック６を介して行う。図５に示すように、ドロッパーネック６がその先端部に、生成物を通過させることができる開口部６００を有する。
【００４３】
ブッシング１９０は、ドロッパーネック６を受ける内部受容部１６を有する。内部受容部１６の形状は、ドロッパーネック６の形状と一致している。形状が一致する内部受容部１６内でドロッパーネック６を受けることで、ドロッパーネック６を内部受容部とうまく結合させることができ、これにより、生成物の添加、溶液又は懸濁液の吸引の際に第１の生成物又は第２の生成物の漏出を防ぐことができるため、確実に無菌状態にすることができる。
【００４４】
内部受容部１６の底壁に形成する穴１００は、ドロッパーネックが内部受容部１６内に配置される場合に、開口部６００と合致させることができる。ドロッパーネック６の形状と、内部受容部１６の形状の一致のおかげで、開口部６００は穴１００に対向して配置され、これにより、生成物の添加、溶液又は懸濁液の吸引の際に第１の生成物及び第２の生成物の漏出を防ぐことができ、無菌状態を保つことができる。
【００４５】
ブッシング１９０は、大部分に本体１９１を備える。
【００４６】
本体１９１は、第２のボトルＢのドロッパーネック６の一部と連結する上部２を有する。本体１９１は、第１のボトルＡのネックの上を覆うことができる下部３を有する。
【００４７】
内部受容部１６の一部は、ドロッパーネック６と対応して合致するように、上部２から下部３に行くに従って小さくなる。
【００４８】
図４（ｂ）、図５及び図７は、特に、内部受容部１６が、ドロッパーネック６の直線状円筒部６１０と対応して合致する直線円筒部１６０を備えることを示す。内部受容部１６は、ドロッパーネック６の円錐円筒部６１１と対応して合致する円錐円筒部１６１を備える。直線円筒部１６０と円錐円筒部１６１とは、内部受容部１６が上部２から下部３に行くに従って小さくなるように連続して設けられている。
【００４９】
図４（ａ）及び図４（ｂ）に示すように、ブッシング１９０は、その形状が内部受容部１６の形状と一致するストッパー１１０を備える。したがって、ストッパーは、ドロッパーネック６の形状と同様の形状となる。
【００５０】
ストッパー１１０と内部受容部１６とは、図４（ｂ）に示すように、ストッパー１１０が内部受容部１６内に位置するときに、内部受容部１６の穴１００がストッパー１１０の底壁２６によって完全に塞がれるように結合する。はめ合わせ形状の内部受容部１６内にストッパー１１０を受けることで、ストッパー１１０と内部受容部１６との間はうまく結合し、これにより、第１の生成物の漏出を防ぐことができ、無菌状態を保つことができる。
【００５１】
明らかに、ストッパー１１０は、内部受容部１６及び／又は本体１９１から取り外すことができることが好ましい。
【００５２】
ブッシング１９０の上部２は、ドロッパーネック６の基部のスレッド８とねじ結合されることができるように内部スレッド４を備える。
【００５３】
スレッド４は、また、ストッパー１１０の基部のスレッド１８とねじ結合されることができるようにしてもよい。
【００５４】
ブッシング１９０の下部３は、円形カラー１２に嵌合し、第１のボトルＡのネックに圧着する内部ショルダー５を有する。
【００５５】
第１のボトルＡは、カラー１２を１つだけ有することがより好ましい。これにより、使用するガラスの量を、従来のボトルに使用するガラスの量よりも少なくすることができる。
【００５６】
図９に示すように、ショルダーは、連続的でなくてもよく、切欠き１５を有していてもよい。
【００５７】
このブッシング１９０では、ブッシング１９０をボトルＡ上に組立てやすくする一方で、切欠き１５は、材料をさらに節約することができるように設けられる。
【００５８】
同様に、図７には、ブッシング１９０は、ブッシングを製造するために使用する材料を節約するための切取り部２９を有することを示す。
【００５９】
図４（ｂ）及び図７に示すように、ストッパー１１０は、底壁２６に対向した領域２８を開けて中空にすることが好ましい。このようにすると、材料をさらに節約して、ストッパー１１０を製造することができる。
【００６０】
図８（ａ）及び図８（ｂ）は、ブッシング１９０が、本体１９１の外側部分１７にはめることができるキャップ１４を備えることを示す。
【００６１】
これにより、本体１９１の上部２は、適合するキャップ１４のショルダー１９と結合することができるラグ形状又は鋸波形状のパターンを備えていてもよい。
【００６２】
キャップ１４は、また、ストッパー１１０の内側部分２１にはめることができるようにしてもよい。
【００６３】
これにより、ストッパー１１０の上部は、キャップ１４の内壁２２と外壁２３の間に位置する切り欠き２０内に収容されている。
【００６４】
明らかに、キャップ１４は、本体１９１及び／又はストッパー１１０から取り外すことができる。
【００６５】
図４（ａ）は、ストッパー１１０の上部２５は、ストッパー１１０のブッシングへのねじ込み及び取り外しを容易にするための滑り止めパターンを有することを示す。
【００６６】
本体１９１、ストッパー１１０及びキャップ１４は、プラスチック材料からなり、それぞれが単体として形成されるのがもっとも好ましい。これにより、材料と組立て時間を節約することができる。
【００６７】
本発明は、また、本発明に係るブッシングを有するタイプＡのボトルを備えたパッケージや、本発明に係るパッケージとタイプＢのボトルを有するキットにも関する。
【図面の簡単な説明】
【００６８】
【図１】図１は、上記に既に説明したが、従来の組立ての軸方向断面図を示す。
【図２】図２は、上記に既に説明したが、従来の組立ての軸方向断面図を示す。
【図３】図３は、本発明の一実施形態に係る第１のボトルを示す。
【図４】図４(ａ)及び図４(ｂ)は、本発明の第１の実施形態に係るブッシングの正面図、軸方向断面図をそれぞれ示す。ブッシングは、本発明に係るストッパーと結合している。
【図５】図５は、本発明の第１の実施形態に係る、ドロッパーネックに結合したブッシングを示す軸方向断面図である。図面左側にブッシングを示し、ドロッパーネックを図面右側に示す。
【図６】図６は、本発明に係るストッパーの軸方向断面図を示す。
【図７】図７は、本発明の第２の実施形態に係るブッシングの軸方向断面図を示す。ブッシングは、本発明に係るストッパーとキャップを備える。
【図８】図８(ａ)及び図８(ｂ)は、本発明に係るキャップの正面図と軸方向断面図をそれぞれ示す。
【図９】図９は、本発明の第２の実施形態に係るブッシングの底面図である。
【図１】
2009517293.tif 000003
【図２】
2009517293.tif 000004
【図３】
2009517293.tif 000005
【図４】
2009517293.tif 000006
【図５】
2009517293.tif 000007
【図６】
2009517293.tif 000008
【図７】
2009517293.tif 000009
【図８】
2009517293.tif 000010
【図９】
2009517293.tif 000011
【国際調査報告】
2009517293.tif 000012
2009517293.tif 000013
2009517293.tif 000014
2009517293.tif 000015